(57)【特許請求の範囲】
【請求項１】
脚をテーブル下面に立てた状態と，テーブル下面に沿った折り畳み状態との間で回動自在に支持するためのテーブルの脚支持構造であって，
上記脚の回動端部に取り付けられたカム板と，
上記カム板をテーブル下面に垂直な面内で回動自在に支持するテーブル下面に平行な脚支持軸と，
上記脚支持軸を支持する脚支持台とを備えた脚支持構造において，
上記テーブル下面に平行で上記脚支持台に回動自在に取り付けられるストッパ支持軸と，
上記ストッパ支持軸に固定されたアームに固定され，上記ストッパ支持軸と一体として回動するストッパと，
上記カム板に固定された当り部材とを備え，
前記脚支持台に，上記脚のテーブル下面に立てた状態とテーブル下面に沿った折り畳み状態とにおいて，上記当り部材が当接する第１の当り部と第２の当り部とが形成され，且つ，上記カム板に，上記脚のテーブル下面に立てた状態とテーブル下面に沿った折り畳み状態とにおいて，上記ストッパが当接する第１のカム面と第２のカム面とが形成され，上記脚がテーブル下面に立てた状態となった時に上記当り部材が上記第１の当り部に当接し且つストッパが第１のカム面に当接することで脚がテーブル下面に立てた状態で固定され，且つ，上記脚がテーブル下面に沿った折り畳み状態となった時に上記当り部材が上記第２の当り部に当接し且つストッパが第２のカム面に当接することで脚がテーブル下面に沿った折り畳み状態で固定されてなるテーブルの脚支持構造。
【請求項２】
脚をテーブル下面に立てた状態と，テーブル下面に沿った折り畳み状態との間で回動自在に支持するためのテーブルの脚支持構造であって，
上記脚の回動端部に取り付けられたカム板と，
上記カム板をテーブル下面に垂直な面内で回動自在に支持するテーブル下面に平行な脚支持軸と，
上記脚支持軸を支持する脚支持台とを備えた脚支持構造において，
上記テーブル下面に平行で上記脚支持台に回動自在に取り付けられるストッパ支持軸と，
上記ストッパ支持軸に固定されたアームに固定され，上記ストッパ支持軸と一体として回動するストッパと，
上記脚支持台に固定された当り部材とを備え，
前記カム板に，上記脚のテーブル下面に立てた状態とテーブル下面に沿った折り畳み状態とにおいて，上記当り部材が当接する第１の当り部と第２の当り部とが形成され，且つ，上記脚支持台に，上記脚のテーブル下面に立てた状態とテーブル下面に沿った折り畳み状態とにおいて，上記ストッパが当接する第１のカム面と第２のカム面とが形成され，上記脚がテーブル下面に立てた状態となった時に上記当り部材が上記第１の当り部に当接し且つストッパが第１のカム面に当接することで脚がテーブル下面に立てた状態で固定され，且つ，上記脚がテーブル下面に沿った折り畳み状態となった時に上記当り部材が上記第２の当り部に当接し且つストッパが第２のカム面に当接することで脚がテーブル下面に沿った折り畳み状態で固定されてなるテーブルの脚支持構造。
【請求項３】
上記カム板が，上記脚の回動端部に取り付けられ，テーブル下面に垂直の２枚の平行なカム板からなり，且つ，上記脚支持台が，上記２枚のカム板と平行で，上記２枚のカム板を内側に挟む２枚の支持板によって構成されてなる請求項１或いは２のいずれかに記載のテーブルの脚支持構造。
【請求項４】
上記脚の回動端部に両端が固定され，上記２枚の支持板の間隔と略等しい幅の湾曲した帯材から構成された保護カバーを更に備えてなり，上記保護カバーが，少なくとも上記脚支持軸と，カム板と，ストッパとを上記湾曲した空間内に包含してなる請求項３に記載のテーブルの脚支持構造。
【請求項５】
上記保護カバーが，更に上記ストッパ支持軸を上記湾曲した空間内に包含してなる請求項４に記載のテーブルの脚支持構造。
【請求項６】
上記脚支持台が，それぞれ独立に上記テーブル下面に固定されてなる板状の部材から構成されてなる請求項１〜５のいずれかに記載のテーブルの脚支持構造。
【請求項７】
上記ストッパを常時上記第１及び第２のカム面と係合する方向に弾性付勢する弾性部材と，
上記ストッパを上記弾性部材による付勢力に反して上記第１あるいは第２のカム面から離脱させる方向に回動させる上記ストッパ支持軸に固定されたレバーとを更に備えてなり，そのレバーの操作端部が２枚の脚支持台の間に位置する請求項１〜６のいずれかに記載のテーブルの脚支持構造。
【請求項８】
請求項１〜７のいずれかに記載のテーブルの脚支持構造を備えたテーブル。
【発明の詳細な説明】
【技術分野】
【０００１】
本発明は，脚をテーブル下面に垂直或いは傾斜させて立てた状態と，テーブル下面に沿った折り畳み状態との間で回動自在に支持するためのテーブルの脚支持構造及びその脚支持構造を備えたテーブルに関するものである。
【背景技術】
【０００２】
上記のようなテーブルの脚支持構造においては構造部分を小さくし，下肢空間を大きくして使い勝手の良いものにしたいという要望がある。また，脚を揺動させようとした時や，テーブル下面に沿った状態に折り畳んだ時に，脚支持構造の可動部や，脚とテーブルとの間に手が挟まれて操作者が痛い思いをすることのない様にする必要がある。
この点，特許文献１では，脚を立てた状態では脚を固定することが出来るが，脚を畳んだ時には，畳まれた脚とテーブルとの間に手が挟まれる可能性がある。
また特許文献２においても，同様に，脚を立てた状態では，脚が固定されて安全であるが，脚を畳んだ状態では，単に脚の一部に円形の係合部材が入り込んで脚を簡単に止める溝が形成されているのみである。従って，この場合には，脚に力がかかると上記係合部材が上記溝から簡単に外れてしまうので，やはり脚を畳んだ状態で，完全に固定することが出来ず，脚が不意に動いたりして，危険である。
また，脚を畳む動作を行なったときに，可動部に指が触る危険性がある。
【特許文献１】特許第２７３４９７０号公報
【特許文献２】特許第２８４６８６４号公報
【発明の開示】
【発明が解決しようとする課題】
【０００３】
従って，本発明は上記事情に鑑みてなされたものであり，その第１の目的とするところは，構造部分を小さくすると共にテーブル下面に取り付けられる折り畳み自在の脚が，その立てた状態でも，畳んだ状態でも，完全に強固に固定され，ガタが生じないと共に，特に，畳んだ状態において，テーブルとの間の間隔がまったく変化しないようにして，脚とテーブルとの間に手が挟まれないようにした安全な脚支持構造を提供することである。
また，また上記のような折り畳み自在の脚の場合，折り畳み動作時に，動きのある可動部に手が挟まれたりする危険性がある。そのため，本発明の第２の目的は，脚を立てたり畳んだりする動作時に，支持機構の中の可動部に手が挟まれないように，上記可動部を完全に囲うことで，そこに手が近づかないようにして，可動部に手が挟まれないようにした安全な脚支持構造を提供することである。
さらに，上記のような支持機構においては，通常，脚を回動自在に支持する支持台をテーブル下面に設ける必要があるが，そのような支持台について，種々の寸法変化にも対応できるような支持台を備えていることが，コストダウンに好都合である。
従って，本発明の第３の目的は，種々の寸法のテーブルに適用することが出来ることで，コストダウンを図ることが出来る脚支持構造を提供することである。
【課題を解決するための手段】
【０００４】
上記目的を達成するために本発明は，
脚をテーブル下面に立てた状態と，テーブル下面に沿った折り畳み状態との間で回動自在に支持するためのテーブルの脚支持構造であって，
上記脚の回動端部に取り付けられたカム板と，
上記カム板をテーブル下面に垂直な面内で回動自在に支持するテーブル下面に平行な脚支持軸と，
上記脚支持軸を支持する脚支持台とを備えた脚支持構造において，
上記テーブル下面に平行で上記脚支持台に回動自在に取り付けられるストッパ支持軸と，
上記ストッパ支持軸に固定されたアームに固定され，上記ストッパ支持軸と一体として回動するストッパと，
上記カム板に固定された当り部材とを備え，
前記脚支持台に，上記脚のテーブル下面に立てた状態とテーブル下面に沿った折り畳み状態とにおいて，上記当り部材が当接する第１の当り部と第２の当り部とが形成され，且つ，上記カム板に，上記脚のテーブル下面に立てた状態とテーブル下面に沿った折り畳み状態とにおいて，上記ストッパが当接する第１のカム面と第２のカム面とが形成され，上記脚がテーブル下面に立てた状態となった時に上記当り部材が上記第１の当り部に当接し且つストッパが第１のカム面に当接することで脚がテーブル下面に立てた状態で固定され，且つ，上記脚がテーブル下面に沿った折り畳み状態となった時に上記当り部材が上記第２の当り部に当接し且つストッパが第２のカム面に当接することで脚がテーブル下面に沿った折り畳み状態で固定されてなるテーブルの脚支持構造として構成されている。
上の発明においては，当り部材が，カム板に取付けられ，脚支持台側に上記当り部材が当接する第１及び第２の当り部が形成されているが，例えば，当り部材が，脚支持台に取付けられ，カム板側に上記当り部材が当接する第１及び第２の当り部が形成されていてもよい。
【０００５】
本発明は，上記のように構成されているので，上記脚がテーブル下面に立てられた状態となった時に，上記当り部材が上記第１の当り部に当接し，且つストッパが第１のカム面に当接することで，脚がテーブル下面に立てられた状態で強固に固定されることになる。
このように，上記カム板が，当り部材を介して脚支持台に形成された第１の当り部に当接するので，脚は，回動できず，またその状態で，カム板の第１のカム面が，脚支持軸に対して離間できないストッパに当接するので，脚は，回動できないので，脚は，立てられた状態で，完全に固定され，ガタが生じることがない。
また，上記脚が，テーブル下面に沿った折り畳み状態となった時には，上記当り部材が，上記第２の当り部に当接し，且つストッパが，第２のカム面に当接することで，脚は，テーブル下面に沿った折り畳み状態で固定される。
このように，上記脚が，テーブル下面に沿った折り畳み状態となった時には，上記カム板が，当り部材を介して脚支持台に形成された第２の当り部に当接するので，脚は，回動できず，またその状態で，カム板の第２のカム面が，脚支持軸に対して離間できないストッパに当接するので，脚は，畳まれた状態で，完全に強固に固定され，ガタが生じない。従って，脚がテーブル下面に沿う状態に畳まれた時に，脚とテーブル下面との距離が変動しないので，テーブル下面と脚との間に手が挟まれるような危険性が皆無となる。
【０００６】
また，このようなテーブル用支持脚では，脚支持構造部分をコンパクトにし，下肢空間が広いほど使用者には便利である。そのためには，カム板の形状を小さくし，脚支持軸の中心とカム，ストッパが当接する点との距離を小さくする必要がある。しかし，テーブル使用時に加わる力（脚を折畳み方向に回転させる力，図５に矢印Ｙ１で示す力）を受け止めるカム，ストッパの当接面の負荷はこの距離に反比例して大きくなる。そこで，コンパクトにするには，カム板を２枚にし，ストッパが当接する点も２ヶ所にして，負荷を分散させることが有利である。  更には，特許文献２に見られるような，脚が２本連結されている構造ではなく，単独脚の場合は特に，脚支持軸の軸長方向に対して回転させる力（図４にＹ２で示す）が大きく動く為，この負荷を受け止めるには２枚のカム板を脚支持軸の軸長方向に可能な限り広い間隔で配置して，２枚のカム板，ストッパの当接面の間隔を大きく設定することが有利である。
その点，本発明では，上記カム板が，上記のようにテーブル下面に垂直の２枚の平行なカム板からなっており，上記脚支持台は，上記２枚のカム板と平行で，上記２枚のカム板を内側に挟む構造となっており，上記のような負荷に対して有利である。
加えて，上記脚の回動端部には，湾曲した帯材から構成された保護カバーが固定され，保護カバーは，その両端が上記脚の回動端部に固定され，上記２枚の脚支持板の内側の間隔と略等しい幅に形成されており，少なくとも上記脚支持軸と，カム板と，ストッパとを上記湾曲した空間内に包含している場合には，脚の折り畳み動作に伴って，前記レバーによってストッパを回動させる動作と，カム板を回動させる動作が生じても，これらの部材が保護カバーに囲まれ，外部に露出することがなく，人の手がその部分に近づくことが出来ないので，人手がこのような可動部分に巻き込まれたり，挟まれたりする危険性が完全に回避される。
【０００７】
更に十分な安全性を考慮するならば，ストッパ支持軸も上記保護カバーの湾曲する内部空間内に包含するようにしても良い。
【０００８】
脚は，立てた状態，或いは畳んだ状態で完全に固定されなければならない。そのためには，不用意にストッパが第１あるいは第２のカム面から外れないようにする必要がある。ストッパを付勢する弾性部材はこのためのもので，ストッパが勝手に外れるような不都合が回避される。
立てた状態の脚，あるいは畳んだ状態の脚を畳む，あるいは立てる場合には，上記ストッパ支持軸を回動させて，ストッパと第１あるいは第２のカム面との干渉を解除する必要がある。ストッパの解除のためにストッパ支持軸を回動させるためのレバーが設けられることが望ましい。この場合，上記レバーを，操作することで，ストッパを第１あるいは第２のカム面から外し，固定された脚を自由に回動させることができる。また，レバーの操作部は２枚の脚支持台の間に位置すると，構造部がコンパクトにまとまり，下肢空間が広くなり，使い勝手が良い。
【０００９】
上記構成に係る脚支持構造を用いたテーブルでは，本発明の課題であるテーブル下面に取り付けられる折り畳み自在の脚が，その立てた状態でも，畳んだ状態でも，完全に固定されると共に，特に，畳んだ状態において，テーブルとの間の間隔がまったく変化しないようにして，脚とテーブルとの間に手が挟まれないようにした安全な脚支持構造を提供することが可能である。
【発明の効果】
【００１０】
本発明によれば，テーブル下面に取り付けられる折り畳み自在の脚が，その立てた状態でも，畳んだ状態でも，完全に固定されると共に，特に，畳んだ状態において，テーブルとの間の間隔がまったく変化しないようにして，脚とテーブルとの間に手が挟まれないようにした安全な脚支持構造を提供することが出来る。
また，上記のような折り畳み自在の脚の場合，折り畳み動作時に，動きのある可動部に手が挟まれたりする危険性があるが，本発明においては，脚を立てたり畳んだりする動作時に，支持機構の中の可動部に手が触ったり挟まれたりしないように，支持機構の動きのある部材を保護カバーで完全に囲うことで，可動部に手が近づかないようにして，安全な脚支持構造を提供している。
さらに，上記のような支持機構においては，通常脚を回動自在に支持する支持台をテーブル下面に設ける必要があるが，そのような支持台について，種々の寸法変化にも対応できるような支持台を備えていることが，コストダウンに好都合である。
本発明においては，種々の寸法のテーブルに適用することが出来ることで，コストダウンを図ることが出来る脚支持構造を提供することができる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は，本実施形態の脚支持構造の全体斜視図，図２は，本実施形態の脚支持構造における脚を畳んだ状態の正断面図，図３は，本実施形態の脚支持構造における脚を畳んだ状態の側断面図，図４は，本実施形態の脚支持構造における脚を立てた状態の正断面図，図５は，本実施形態の脚支持構造における脚を立てた状態の側断面図，図６は，本実施形態の脚支持構造の全体斜視図，図７は，本実施形態の脚支持構造の全体分解斜視図である。
【００１２】
図１に示すように，この実施形態に係る脚支持構造Ｘは，脚１をテーブル３の下面３ａに立てた状態と，図２に示すようにテーブル３の下面３ａに沿った折り畳み状態との間で回動自在に支持することが出来る。
上記脚支持構造Ｘは，上記脚１の回動端部に取り付けられた１対のカム板５，５を備えている。
上記カム板５は，テーブル下面に平行な脚支持軸７によって，テーブル下面３ａに垂直な面内で回動自在に支持されている。
また，上記脚支持軸７は，テーブル下面に垂直な２枚の脚支持台９，９に支持されている。
従って，脚１は，カム板５を介して，２枚の脚支持台９，９に，脚支持軸７を中心として回動自在に支持されている。
【００１３】
上記脚支持構造Ｘは，更に上記テーブル下面３ａに平行で，上記脚支持台９に回動自在に取り付けられるストッパ支持軸１１と，このストッパ支持軸１１に固定されたアーム１３に固定され，上記ストッパ支持軸１１と一体として回動するストッパ１５とを備えている。
【００１４】
更に脚支持構造Ｘは，上記カム板５に固定された丸軸状の当り部材１７を備えており，上記脚支持台９には，上記当り部材１７が挿入される円弧状長孔１９が形成されている。この円弧状長孔１９は，上記脚支持軸７を中心とする円弧状に形成されている。従って，脚１がこの脚支持軸７を中心として回動する時に，カム板５の回動に伴って，カム板５に固定された上記当り部材１７が，上記円弧状長孔１９に沿って移動する。
【００１５】
上記円弧状長孔１９の端部は，上記脚１をテーブル下面３ａに図１に示すように立てた状態と，図２のようにテーブル下面に沿って折り畳んだ状態とにおいて，上記当り部材１７が当接する第１の当り部１９ａと，第２の当り部１９ｂとを構成している。
【００１６】
また上記カム板５には，図１に示すように，上記脚１をテーブル下面３ａに立てた状態と，図２に示すテーブル下面３ａに沿った折り畳み状態とにおいて，上記ストッパ１５が当接する第１のカム面５ａと，第２のカム面５ｂとが形成されている。
【００１７】
従って，上記脚１がテーブル下面３ａに立てられた状態（図１，図４，図５）となった時に，上記当り部材１７が上記第１の当り部１９ａに当接し，且つストッパ１５が第１のカム面５ａに当接することで，脚１がテーブル下面３ａに立てられた状態で固定されることになる。このように，上記カム板５が，当り部材１７を介して脚支持台９に形成された第１の当り部１９ａに当接するので，脚１は，図１における反時計方向に回動できず，またその状態で，カム板５の第１のカム面５ａが，脚支持軸１１に対して離間できないストッパ１５に当接するので，脚１は，図１における時計方向にも回動できないので，脚１は，立てられた状態で，完全に固定される。
【００１８】
また，上記脚１が，図２に示すように，テーブル下面３ａに沿った折り畳み状態となった時には，上記当り部材１７が，上記第２の当り部１９ｂに当接し，且つストッパ１５が，第２のカム面５ｂに当接することで，脚１は，テーブル下面３ａに沿った折り畳み状態で固定される。
このように，上記脚１が，図２に示すように，テーブル下面３ａに沿った折り畳み状態となった時には，上記カム板５が，当り部材１７を介して脚支持台９に形成された第２の当り部１９ｂに当接するので，脚１は，図１における時計方向に回動できず，またその状態で，カム板５の第２のカム面５ｂが，脚支持軸１１に対して離間できないストッパ１５に当接するので，脚１は，図１における反時計方向にも回動できない。従って，脚１は，畳まれた状態で，完全に固定され，ガタも生じない。
【００１９】
この時，上記ストッパ支持軸１１は，その周りに取り付けられた弾性部材の一例である蔓捲きバネ２３によって，図１，図２における反時計方向に回動するように常時付勢されており，上記のように脚１を立てた状態，あるいは畳んだ状態では，上記蔓捲きバネ２３に付勢されて，ストッパ１５が，第１あるいは第２のカム面５ａあるいは５ｂに当接してカム板５（及びこれと一体の脚１）の回動を阻止している。従って，立てた状態の脚１，あるいは畳んだ状態の脚１を畳む，あるいは立てる場合には，上記ストッパ支持軸１１を時計方向に回動させて，第１あるいは第２のカム面５ａあるいは５ｂとの干渉を解除する必要がある。そのために，上記ストッパ支持軸１１には，レバー２５が固定されており，このレバー２５を，回動操作することで，操作者は，ストッパ１５を第１あるいは第２のカム面５ａあるいは５ｂから外し，上記のように固定された脚１を自由に回動させることができる。
【００２０】
上記カム板５は，上記のようにテーブル下面３ａに垂直の２枚の平行なカム板５，５からなっており，上記脚支持台９，９は，上記２枚のカム板５，５と平行で，上記２枚のカム板５，５を内側に挟む構造となっている。加えて，上記脚１の回動端部には，湾曲した帯材から構成された保護カバー２１が固定されている。この保護カバー２１は，その両端に設けられた固定用端部２１ａ，２１ｂが上記脚１の回動端部（或いは，カム板５）に固定されることで，脚１に固定されている。上記保護カバー２１は，上記２枚の脚支持板９，９の内側の間隔と略等しい幅に形成されており，少なくとも上記脚支持軸７と，カム板５と，ストッパ１５とを上記湾曲した空間内に包含している。
上記保護カバー２１は，上述のように，脚支持構造の可動部分に手が触らないことを目的としたもので，それ自身は，上記可動部に接触しても構わないので，接触したときに柔軟に湾曲できるように，柔軟な材質で構成することが望ましい。
【００２１】
このような脚支持構造Ｘでは，脚１の折り畳み動作に伴って，前記レバー２５によってストッパ１５を回動させる動作と，カム板５を回動させる動作が生じるが，このような部材の移動や回動動作に人の手が巻き込まれたり，挟まれたりする可能性があるが，上記のように保護カバー２１がその湾曲した内部空間に上記カム板５，その回動中心の脚支持軸７更にはストッパ１５を包含しているので，これらの部材が外部に露出することがなく，人の手がその部分に近づくことが出来ないので，人手がこのような可動部分に巻き込まれたり，挟まれたりする危険性が完全に回避される。
また，前記レバー２５の操作端部２５ａは，図１に示すように，２枚の脚支持台９，９に当たらないように，２枚の脚支持台９，９の間に設けられ，２枚の脚支持台９，９の間に収納されるような位置にあることが望ましい。
【００２２】
上の例では，ストッパ支持軸１１は，上記保護カバー２１の内部に包含されていない。これは，ストッパ支持軸１１の場合，単に軸周りに回動するだけであり，且つレバー２５の回動動作範囲も狭いので，その回動による危険性が極めて少ないことによる。ただし，更に十分な安全性を考慮するならば，図６に示すように，ストッパ支持軸１１も上記保護カバー２１の湾曲する内部空間に包含するようにしても良い。
上記脚支持台９は，それぞれ独立に上記テーブル下面に固定されてなる２枚の板状の脚支持台９，９によって構成されている。
この点，例えば，特許文献２に開示された脚支持構造において用いられている脚支持台は，断面コ字状に形成されており，左右一体の板状部材によって構成されているが，このようなテーブル用脚を支持する支持台では，テーブルのサイズなどに応じて脚１のサイズが変化した場合，一対の脚支持台の間隔を変化させる必要があるために，上記一対の脚支持台が左右一体に構成された上記特許文献１に記載の脚支持構造では，多くのサイズの脚支持台が必要となり，これがコストを押し上げる原因の１つになっている。
また，このような断面コ字状で一体の脚支持台の場合，コ字状に曲げ加工を行った後に前記脚支持軸７等を取り付ける孔を加工する必要がある。しかし，コ字状になった脚支持台に精度よく加工することは至難の業であり，それによる加工コストの上昇という問題も指摘される。
これに対して，この実施形態に用いられた脚支持台９のように１対の脚支持台９，９がそれぞれ独立の場合には，その間の間隔を自由に調整できるので，脚やテーブルの寸法変更に柔軟に対応できる。また，左右の支持台９，９がそれぞれ独立しているので，それぞれ単独で穴あけ加工が可能で，前記脚支持軸７や，ストッパ支持軸１１を支持する軸孔の加工精度が低下することがない。
また，この実施形態では，脚支持台９，９が左右に分離されている為，（脚支持台９，９を天板３に組付ける前は）保護カバー２１を取付ける作業も容易であり，組付時間を短縮し，コストダウンを図ることができる。さらに脚支持台９，９が断面コ字状の場合は，保護カバー２１を組付けるには，保護カバー２１をコ字部分と脚支持軸等の隙間を通す必要がある。そのため組付け作業に熟練と時間を要すると共に，保護カバー２１両端の形状も規制される。一方脚支持台９，９を左右に分割すると脚１の取付部付近をカバーする保護カバー両端部の形状も自由に設計することができる。例えば，保護カバー２１の固定用端部２１ｂ（図２，図６の矢印Ａの部分）を柔らかな平面とすることで，図２のように脚を折畳み，テーブルを積み重ねた時に天板面が傷つくことを防ぐクッション部材とすることが可能であり，部材の削減，コストダウンになる。
上の実施形態においては，当り部材が，カム板に取り付けられ，脚支持台側に上記当り部材が当接する第１及び第２の当り部が形成されているが，例えば，当り部材が，脚支持台に取付けられ，カム板側に上記当り部材が当接する第１及び第２の当り部が形成されていてもよい。
この場合，前記カム板側に，上記当り部材が上記脚のテーブル下面に立てた状態とテーブル下面に沿った折り畳み状態とにおいて，上記当り部材が当接する第１の当り部と第２の当り部とが形成されることになり，且つ，上記脚支持台側に，上記脚のテーブル下面に立てた状態とテーブル下面に沿った折り畳み状態とにおいて，上記ストッパが当接する第１のカム面と第２のカム面とが形成されることになる。その結果，上記脚がテーブル下面に立てた状態となった時に上記当り部材が上記第１の当り部に当接し且つストッパが第１のカム面に当接することで脚がテーブル下面に立てた状態で固定され，且つ，上記脚がテーブル下面に沿った折り畳み状態となった時に上記当り部材が上記第２の当り部に当接し且つストッパが第２のカム面に当接することで脚がテーブル下面に沿った折り畳み状態で固定されることになる。
【産業上の利用可能性】
【００２３】
本発明は，テーブルの脚支持構造に利用可能である。
【図面の簡単な説明】
【００２４】
【図１】本実施形態の脚支持構造の全体斜視図。
【図２】本実施形態の脚支持構造における脚を畳んだ状態の正断面図。
【図３】本実施形態の脚支持構造における脚を畳んだ状態の側断面図。
【図４】本実施形態の脚支持構造における脚を立てた状態の正断面図。
【図５】本実施形態の脚支持構造における脚を立てた状態の側断面図。
【図６】本実施形態の脚支持構造の全体斜視図。
【図７】本実施形態の脚支持構造の全体分解斜視図。
【符号の説明】
【００２５】
１…脚
３…テーブル
３ａ…テーブル下面
５…カム板
７…脚支持軸
９…脚支持台
１１…ストッパ支持軸
１３…アーム
１５…ストッパ
１７…当り部材
１９…円弧状長孔
２１…保護カバー
２３…蔓捲きバネ（弾性部材）
２５…レバー
【要約】
【課題】テーブル下面に取り付けられる折り畳み自在の脚が，その立てた状態でも，畳んだ状態でも，完全に固定されると共に，特に，畳んだ状態において，テーブルとの間の間隔がまったく変化しないようにして，脚とテーブルとの間に手が挟まれないようにした安全な脚支持構造を提供すること。
【解決手段】脚と一体のカム板に，上記ストッパが当接する第１のカム面と第２のカム面とが形成され，上記脚がテーブル下面に立てた状態となった時に上記当り部材が上記第１の当り部に当接し且つストッパが第１のカム面に当接することで脚がテーブル下面に立てた状態で固定され，且つ，上記脚がテーブル下面に沿った折り畳み状態となった時に上記当り部材が上記第２の当り部に当接し且つストッパが第２のカム面に当接することで脚がテーブル下面に沿った折り畳み状態で固定されてなるテーブルの脚支持構造。
【選択図】図１【図１】
0004332197.tif 000002
【図２】
0004332197.tif 000003
【図３】
0004332197.tif 000004
【図４】
0004332197.tif 000005
【図５】
0004332197.tif 000006
【図６】
0004332197.tif 000007
【図７】
0004332197.tif 000008